(57)【要約】【課題】  利用者の所望する合作画像を簡単に作製できるようにする。【解決手段】  自動写真撮影装置１００は、利用者により合作モードが選択された場合に、ＣＰＵ１００ｂの制御のもと、ハードディスク１０１ｆ−１に格納されている撮影／編集処理プログラム１００ｆ−１に基づき、中央カメラ用液晶モニタ１４に中央カメラ１３の撮影に応じたライブ映像を表示処理するとともに、中央カメラ１３の写真撮影で既に生成している静止画像をライブ映像の両サイドに表示処理する。また、２回の写真撮影で生成した２つの静止画像を隣接配置した合作画像を生成し、プリンタ１２でシールシートに印刷して写真シールＰを排出する。【選択図】  図２
2007221409.tif 000002
【特許請求の範囲】
【請求項１】
写真撮影を行うことにより静止画像を生成する撮影手段と、前記撮影手段により生成された静止画像を記録する記録手段と、前記撮影手段により生成された静止画像を出力する出力手段とを備え、１プレイのうちに複数回数の写真撮影が実行される自動写真撮影装置であって、
前記撮影手段による写真撮影を受ける利用者から視認可能な位置に配置され、前記撮影手段により生成されるライブ映像を表示するライブ映像表示手段と、
前記複数回数の写真撮影のうちの少なくとも一の写真撮影を行うに際して、前記記録手段に記録される静止画像を前記ライブ映像の周囲に表示する静止画像表示手段とを更に備えることを特徴とする自動写真撮影装置。
【請求項２】
前記静止画像表示手段は、前記ライブ映像の左右両側にそれぞれ同一の静止画像を接して表示することを特徴とする請求項１に記載の自動写真撮影装置。
【請求項３】
前記静止画像表示手段は、前記ライブ映像の左側に前記同一の静止画像の右側の所定部分を表示し、前記ライブ画像の右側に前記同一の静止画像の左側の所定部分を表示することを特徴とする請求項２に記載の自動写真撮影装置。
【請求項４】
前記静止画像表示手段は、前記一の写真撮影を行うに際して、前記一の写真撮影の直前の写真撮影により生成された静止画像を表示することを特徴とする請求項１〜３のいずれか一項に記載の自動写真撮影装置。
【請求項５】
前記１プレイの写真撮影で生成された複数の静止画像を隣接配置或いは部分的に重ね合せた合作画像を生成する画像生成手段を更に備えることを特徴とする請求項１〜４のいずれか一項に記載の自動写真撮影装置。
【請求項６】
前記合作画像を表示し、該合作画像に対する利用者の編集操作を受け付ける編集操作受付手段を更に備え、
前記画像生成手段は、
前記編集操作受付手段が受け付けた利用者の編集操作に基づき前記合作画像に編集を加えた合作編集画像を生成することを特徴とする請求項５に記載の自動写真撮影装置。
【請求項７】
前記出力手段が前記合作画像及び／又は前記編集画像を印刷した写真シールを排出するプリンタであることを特徴とする請求項１〜６のいずれか一項に記載の自動写真撮影装置。
【請求項８】
前記出力手段が前記合作画及び／又は前記編集画像を有線通信或いは無線通信により外部受信端末に送信する通信装置であることを特徴とする請求項１〜７のいずれか一項に記載の自動写真撮影装置。
【請求項９】
写真撮影を行うことにより静止画像を生成する撮影手段と、前記撮影手段により生成された静止画像を記録する記録手段と、前記撮影手段により生成された静止画像を出力する出力手段とを備え、１プレイのうちに複数回数の写真撮影が実行される自動写真撮影装置であって、
前記撮影手段による写真撮影を受ける利用者と前記撮影手段との間に配置され、反射光を前記利用者に返すとともに透過光を前記撮影手段に導くハーフミラーと、
前記複数回数の写真撮影のうちの少なくとも一の写真撮影を行うに際して、前記記録手段に記録される静止画像を前記ハーフミラーの周囲に表示する静止画像表示手段とを更に備えることを特徴とする自動写真撮影装置。
【請求項１０】
写真撮影を行うことにより静止画像を生成する撮影手段と、前記撮影手段により生成された静止画像を記録する記録手段と、前記撮影手段により生成された静止画像を出力する出力手段とを備え、１プレイのうちに複数回数の写真撮影が実行される自動写真撮影装置で解釈実行されるプログラムであって、
前記撮影手段による写真撮影を受ける利用者から視認可能な位置に配置され、前記撮影手段により生成されるライブ映像を表示するライブ映像表示手順と、
前記複数回数の写真撮影のうちの少なくとも一の写真撮影を行うに際して、前記記録手段に記録される静止画像を前記ライブ映像の周囲に表示する静止画像表示手順とを前記自動写真撮影装置に実行させるためのプログラム。
【請求項１１】
写真撮影を行うことにより静止画像を生成する撮影手段と、前記撮影手段により生成された静止画像を記録する記録手段と、前記撮影手段により生成された静止画像を出力する出力手段とを備え、１プレイのうちに複数回数の写真撮影が実行される自動写真撮影装置で解釈実行されるプログラムを記録したコンピュータ読み取り可能な記録媒体であって、
前記撮影手段による写真撮影を受ける利用者から視認可能な位置に配置され、前記撮影手段により生成されるライブ映像を表示するライブ映像表示手順と、
前記複数回数の写真撮影のうちの少なくとも一の写真撮影を行うに際して、前記記録手段に記録される静止画像を前記ライブ映像の周囲に表示する静止画像表示手順とを前記自動写真撮影装置に実行させるためのプログラムを記録したコンピュータ読み取り可能な記録媒体。
【発明の詳細な説明】
【技術分野】
【０００１】
本発明は、ゲームセンターや遊園地のような娯楽施設などに設置され、１プレイで複数回数の写真撮影により取得した利用者の画像を印刷物などの形態（写真や画像データ等）で利用者に提供する自動写真撮影装置に関し、特に、複数の撮影画像を隣接配置或いは部分的に重ね合せた合作画像を印刷物などの形態で利用者に販売或いは提供することが可能な自動写真撮影装置に関する。
【背景技術】
【０００２】
従来、ゲームセンターや遊園地のような娯楽施設などに設置され、写真撮影により取得した利用者の画像を印刷した写真シールを排出する自動写真撮影装置（例えば、「特許文献１」参照）が知られている。
【０００３】
そして、このような自動写真撮影装置においては、６回、８回等の複数回数の写真撮影により生成された複数の画像を所定の方法でレイアウト印刷した写真シールを排出するものが一般的に提供されている。
【０００４】
ところで、最近では、そのような自動写真撮影装置を利用する利用者においては、印刷排出された写真シールにレイアウトされている２つの写真を組み合わせて不思議な写真を手に入れたいという利用者が多数現れてきている。
【０００５】
例えば、左向きの自分が写るようにポーズをとって撮影された写真と、右向きの自分が写るようにポーズをとって撮影された写真とを並べて印刷することで、本人（自分）どうしがキスしているような不思議な組写真にすることができる。
【０００６】
また、例えば、寝そべって腹下部分のみが写るようにポーズをとって撮影された写真と、その写真に写る胴体の一部が重複する上半身のみが写るようにポーズをとって撮影された写真とを並べて印刷することで胴体が不自然に長く見える不思議な組写真にすることができる。
【０００７】
しかしながら、従来の自動写真撮影装置において前述のような不思議な構図の組写真を手に入れようとする利用者にあっては、組み合わせ候補となる一方の撮影済み写真の自分のポーズに対して、もう片方の組み合わせ候補となる写真の撮影時に、どのように自分のポーズを合わせて撮影したら良いのかわからず、おおよその見当を付けたポーズによって写真撮影するしか方法が無かった。
【０００８】
また、その結果、組み合わせようとする２枚の写真が上手く繋がらず、思った通りの構図の組写真にすることが難しかった。
【０００９】
すなわち、従来の自動写真撮影装置にあっては、（特に同サイズで）同一人物（本人）どうしが絡み合うような組写真や、利用者の体の一部が不自然に長くなるような組写真を手に入れたい利用者にとって、撮影時のポーズ決めを上手く行うことができず、繋ぎ目が不自然なものになってしまうという不都合があった。
【特許文献１】特開２００５−３４１５５８号公報
【発明の開示】
【発明が解決しようとする課題】
【００１０】
本発明は、上述の状況に鑑みてなされたものであり、下記のいずれか一以上の目的を達成するものである。
【００１１】
即ち本発明は、意図した構図通りの組写真（撮影された静止画像を並べて印刷したもの）を手に入れるために写真撮影の際にどのようなポーズをとればよいかが利用者に判り易くされた自動写真撮影装置を提供することをその目的とする。
【００１２】
本発明の他の目的は、意図した構図通りの合作写真（撮影された静止画像を並べて、或いは部分的に重ね合わせて１つの画像に合成したもの）を手に入れるために写真撮影の際にどのようなポーズをとればよいかが利用者に判り易くされた自動写真撮影装置を提供することをその目的とする。
【課題を解決するための手段】
【００１３】
本発明は、上記課題を解決したものであり、
写真撮影を行うことにより静止画像を生成する撮影手段と、前記撮影手段により生成された静止画像を記録する記録手段と、前記撮影手段により生成された静止画像を出力する出力手段とを備え、１プレイのうちに複数回数の写真撮影が実行される自動写真撮影装置であって、
前記撮影手段による写真撮影を受ける利用者から視認可能な位置に配置され、前記撮影手段により生成されるライブ映像を表示するライブ映像表示手段と、
前記複数回数の写真撮影のうちの少なくとも一の写真撮影を行うに際して、前記記録手段に記録される静止画像を前記ライブ映像の周囲に表示する静止画像表示手段とを更に備えることを特徴とする自動写真撮影装置（請求項１）、又は、  
写真撮影を行うことにより静止画像を生成する撮影手段と、前記撮影手段により生成された静止画像を記録する記録手段と、前記撮影手段により生成された静止画像を出力する出力手段とを備え、１プレイのうちに複数回数の写真撮影が実行される自動写真撮影装置で解釈実行されるプログラムであって、
前記撮影手段による写真撮影を受ける利用者から視認可能な位置に配置され、前記撮影手段により生成されるライブ映像を表示するライブ映像表示手順と、
前記複数回数の写真撮影のうちの少なくとも一の写真撮影を行うに際して、前記記録手段に記録される静止画像を前記ライブ映像の周囲に表示する静止画像表示手順とを前記自動写真撮影装置に実行させるためのプログラム（請求項１０）、又は、  
上記プログラムを記録したコンピュータ読み取り可能な記録媒体（請求項１１）である。
【００１４】
本発明によれば、利用者の意図した合作画像を簡単に作製する為の撮影方法を提供することができる。
【００１５】
即ち、一の写真撮影において生成される一の静止画像（Ａ）と他の静止画像（Ｂ）とを用いて組写真にし、或いはこれを合成して合作写真を作製する場合に、一の静止画像（Ａ）での写りを確認できるライブ映像がライブ映像表示手段により表示されるとともに、そのライブ映像の周囲に他の静止画像（Ｂ）が静止画像表示手段により表示されるため、利用者は、組写真又は合作画像のイメージを視覚的に確認しながら一の静止画像（Ａ）を生成するための写真撮影（一の写真撮影）を受けることができる。
【００１６】
ここで、本発明の静止画像表示手段が表示する静止画像には、１プレイ中の写真撮影で既に生成された静止画像を使用することも可能であるが、過去に行われたプレイでの写真撮影で生成された静止画像を使用することも可能であり、或いは自動写真撮影装置の提供者や設置者により準備された画像を静止画像として使用することも可能である。
【００１７】
本発明の静止画像表示手段は、少なくとも一の写真撮影を行うに際して静止画像を表示するものであるが、ここにおける「写真撮影を行うに際して表示する」とは、写真撮影の実行前に利用者が静止画像を確認できるタイミングにおいて表示することを意味しており、必ずしも写真撮影の実行時点において静止画像が表示されている必要はない。
【００１８】
本発明のライブ映像表示手段により表示されるライブ映像は、写真撮影を受ける利用者が自身のポーズなどの確認を行うための映像であり、撮影手段により撮影されるリアルタイムの映像である必要はあるが、必ずしも動画像であることは必要ではなく、コマ送り画像などであっても良い。
【００１９】
また、本発明の自動写真撮影装置は、前記静止画像表示手段が前記ライブ映像の左右両側にそれぞれ同一の静止画像を接して表示するように構成することも可能である（請求項２）。
【００２０】
かかる発明によれば、他の静止画像（Ｂ）が一の静止画像（Ａ）の右側に配置した組写真（又は合作画像）にすることを意図して撮影された画像であった場合でも、一の静止画像（Ａ）の左側に配置して組写真（又は合作画像）にすることを意図して撮影された画像であった場合であっても、利用者は、一の静止画像（Ａ）のための写真撮影を受けるに際して、生成される合作画像のイメージを視覚的に確認しながらポーズ決めなどを行うことが可能になる。
【００２１】
請求項２の発明においては、前記静止画像表示手段は、前記ライブ映像の左側に前記同一の静止画像の右側の所定部分を表示し、前記ライブ画像の右側に前記同一の静止画像の左側の所定部分を表示することが好ましい（請求項３）。
【００２２】
即ち、他の静止画像（Ｂ）を一の静止画像（Ａ）の右側に配置した組写真（又は合作画像）にする場合であれば、一の静止画像（Ａ）の撮影に際して利用者は、ライブ映像と、その右側に配置された静止画像（Ｂ）の左側の所定部分のみを確認できれば組写真や合作画像のイメージを掴むことが可能であり、同様に、他の静止画像（Ｂ）を一の静止画像（Ａ）の左側に配置して組写真（又は合作画像）にする場合であれば、一の静止画像（Ａ）の撮影に際して利用者は、ライブ映像と、その左側に配置された静止画像（Ｂ）の右側の所定部分のみを確認できれば組写真や合作画像のイメージを掴むことが可能である。
【００２３】
従って、請求項３の発明によれば、組写真や合作画像のイメージを掴むために不要な部分の表示が省略されることになり、例えば、ライブ映像表示手段によるライブ映像及び静止画像表示手段による静止画像を表示する表示装置のサイズが予め定まっている場合などにおいて、ライブ映像及び静止画像をより大きいサイズで表示することが可能になる。
【００２４】
本発明においては、前記静止画像表示手段は、前記一の写真撮影を行うに際して、前記一の写真撮影の直前の写真撮影により生成された静止画像を表示するよう構成することが可能である（請求項４）。
【００２５】
かかる発明では、組写真や合作画像に使用する２つの静止画像（Ａ、Ｂ）が連続した２回の写真撮影により生成されることになるため、他の静止画像（Ｂ）の写真撮影の際にどのような構図を意図していたかが一の静止画像（Ａ）の撮影の際に判らなくなってしまうなどの不都合を防止できる。
【００２６】
また、本発明の自動写真撮影装置は、前記１プレイの写真撮影で生成された複数の静止画像を隣接配置或いは部分的に重ね合せた合作画像を生成する画像生成手段を更に備えることも可能である（請求項５）。
【００２７】
かかる発明によれば、複数の静止画像から単一の合作画像が生成されるため、利用者は、本人どうしが絡み合ったような不思議な合作画像や、体の一部が不自然に長いような不思議な合作画像を手に入れることができる。従って、並べて印刷することで組写真として楽しむことができる複数の静止画像が利用者に提供される場合と比較して、複数の静止画像が合成された合作画像が利用者に提供される場合には、上記のような不思議な構図の単一の画像を電子メールなどの形態で友人に送って驚かせるなど、より多様な楽しみを利用者に提供することが可能になる。
【００２８】
また、本発明の自動写真撮影装置は、前記合作画像を表示し、該合作画像に対する利用者の編集操作を受け付ける編集操作受付手段を更に備え、
前記画像生成手段は、
前記編集操作受付手段が受け付けた利用者の編集操作に基づき前記合作画像に編集を加えた合作編集画像を生成するよう構成することが可能である（請求項６）。
【００２９】
かかる発明では、合作画像に利用者の好みに応じた編集を加えることにより、より面白みのある合作編集画像を利用者に提供することが可能になる。
【００３０】
本発明の自動写真撮影装置は、前記合作画像及び／又は前記合作編集画像を印刷した写真シールとして利用者に提供し（請求項７）、或いはこれを有線通信或いは無線通信により利用者に提供（請求項８）するなどが可能である。本発明は、利用者の写真撮影を行うことにより静止画像を生成する撮影手段と、前記撮影手段により生成された静止画像を記録する記録手段と、前記撮影手段により生成された静止画像を出力する出力手段とを備え、１プレイのうちに複数回数の写真撮影が実行される自動写真撮影装置であって、
前記撮影手段と前記利用者との間に配置され、反射光を前記利用者に返すとともに透過光を前記撮影手段に導くハーフミラーと、
前記複数回数の写真撮影のうちの少なくとも一の写真撮影を行うに際して、前記記録手段に記録される静止画像を前記ハーフミラーの周囲に表示する静止画像表示手段とを更に備えることを特徴とする自動写真撮影装置（請求項９）とすることも可能である。
【００３１】
かかる発明では、利用者は、一の静止画像（Ａ）での写りをハーフミラーで確認できるとともに、ハーフミラーの周囲に表示される他の静止画像（Ｂ）を同時に確認できるため、請求項１の発明と同様に、組写真や合作画像のイメージを視覚的に確認しながら一の静止画像（Ａ）を生成するための写真撮影（一の写真撮影）を受けることが可能になる。
【発明を実施するための最良の形態】
【００３２】
以下、本発明の実施形態について添付図面を参照して詳細に説明する。
【００３３】
なお、本発明の自動写真撮影装置は、ゲームセンターや遊園地のような娯楽施設などに設置され、１プレイで複数回数の写真撮影により取得した利用者の静止画像（写真画像）を印刷物などの形態（写真プリントや画像データ等）で利用者に販売或いは提供する自動写真撮影装置に適用されるものであるが、以下の実施形態では、撮影した静止画像をシール紙に印刷して写真シールとして利用者に販売する自動写真撮影装置に適用した場合について説明する。
【００３４】
図１は、本発明を適用した自動写真撮影装置１００の外観構成を示す図であり、図１（ａ）が、装置の外観側面の構成を示す筐体側面図であり、図１（ｂ）が、装置の外観上面の構成を示す筐体上面図であり、図１（ｃ）が、装置の外観背面の構成を示す筐体背面図である。また、図２は、この自動写真撮影装置１００の撮影ブース３内に形成される第１筐体１の外観正面の構成を示す図であり、図２（ａ）が、第１筐体正面図であり、図２（ｂ）が、第１筐体斜視図である。
【００３５】
図１に示すように、本発明の自動写真撮影装置１００は、主として第１筐体１、第２筐体２及び撮影ブース３から構成されている。
【００３６】
ここで、第１筐体１は、図２に示すように、第１筺体の正面壁１１０に、上カメラ１１、上カメラ用液晶モニタ１２、中央カメラ１３、中央カメラ用液晶モニタ１４、操作パネル１５、ストロボ発光部１６ａ〜１６ｄ、スピーカ１７ａ，１７ｂ、コイン投入口１８、荷物置き場１９が備えられている。
【００３７】
上カメラ１１は、利用者を上方から撮影し、利用者のライブ映像及び利用者の静止画像を取得する為のカメラであり、例えば、レンズと、絞りと、ＣＣＤ或いはＣＭＯＳの撮像素子等を備えたデジタルカメラ或いはデジタルビデオカメラ等で実現される撮影手段である。
【００３８】
上カメラ用液晶モニタ１２は、上カメラ１１の撮影により生成される画像データに基づきライブ映像を表示したり、後述する合作モード時に１プレイの写真撮影で既に生成されている静止画像をライブ映像の両サイドに表示したり、利用者に対して操作案内を表示するためのモニタであり、例えば、液晶ディスプレイなどで実現される。
【００３９】
中央カメラ１３は、利用者を正面から撮影し、利用者のライブ映像及び利用者の静止画像を取得する為のカメラであり、上カメラ１１と同様に、例えば、レンズと、絞りと、ＣＣＤ或いはＣＭＯＳの撮像素子等を備えたデジタルカメラ或いはデジタルビデオカメラ等で実現される撮影手段である。
【００４０】
中央カメラ用液晶モニタ１４は、前述の上カメラ用液晶モニタ１２と同様の機能を有し、中央カメラ１３の撮影により生成される画像データに基づきライブ映像を表示したり、合作モード時に１プレイの写真撮影で既に生成されている静止画像をライブ映像の両サイドに表示するとともに、利用者に対して操作案内を表示するためのモニタであり、例えば、液晶ディスプレイなどで実現される。
【００４１】
操作パネル１５は、利用者からの操作入力を受け付けるための各種操作ボタンを備えたパネルである。なお、この実施形態では、図２に示すような丸形状の「決定ボタン」と、三角形状の「選択ボタン」とを備えている。
【００４２】
ストロボ発光部１６ａ〜１６ｄは、乳半のボードを介して利用者に照明光を照射するための照明装置である。
【００４３】
スピーカ１７ａ，１７ｂは、音楽や効果音などを出力させるためのスピーカである。
【００４４】
コイン投入口１８は、料金を受け入れるためのコイン投入口である。
【００４５】
荷物置き場１９は、利用者の荷物などを置いたり、利用者が足などを乗せてポーズをとる為の台である。
【００４６】
なお、図２（ｂ）に示すように、第１筺体１の正面壁１１０の上方部から天井壁１６０にかけて前述のストロボ発光部１６ａ〜１６ｄと同様の機能を有するストロボ発光部１６ｅ〜１６ｇを備えている。
【００４７】
また、第１筐体１は、内部にプリンタ１０６（図３参照）を備えており、このプリンタ１０６で印刷した写真シールを外部に排出して利用者に提供する為の写真排出口４を第１筐体１の側面壁１２０ａに備えている。また、第１筐体１の底面壁１３０には、自動写真撮影装置１００を動作させるのに必要な電源（例えば、商用電源）を電源部１０７（図３参照）を介して装置内部に供給する為の差込プラグ付き電源コード５を備えている。
【００４８】
そして、第２筐体２は、図１に示すように、略２等辺三角柱の形状を有しており、第１筐体１の背面側に配置されている。
【００４９】
この第２筐体２の側面２１０ａ，２１０ｂには、利用者が、上カメラ１１或いは中央カメラ１３により撮影された静止画像に対する編集や静止画像の印刷レイアウトの指定の操作を行うための編集ブース２１ａ，２１ｂがそれぞれ形成されている。即ち、第２筐体２の一側面２１０ａには、タッチパネル式モニタ２１１ａと、２本のタッチペン２１２ａ、２１３ａと、スピーカ２１４ａとが備えられ、他方の側面２１０ｂにも同様の、タッチパネル式モニタ２１１ｂと、２本のタッチペン２１２ｂ、２１３ｂと、スピーカ２１４ｂとが備えられ、２組の利用者が同時に編集などの操作を行い得るようになっている。
【００５０】
また、それらタッチパネル式モニタ２１１ａ，２１１ｂの画面を利用者がタッチした場合に表示される編集画面２００（後述の図１０参照）の構成は、本出願人が出願した特願２００５−１７０１５２号に開示される編集画面の機能構成に、本発明に係る合作機能を新たに追加した構成となっている。すなわち、複数のカテゴリーアイコンからなるアイコン群に「合作」アイコンが新たに追加され、この追加に応じて「合作」アイコン用のリソースウィンドウの表示機能と、画像表示部における合作画像の表示機能が新たに追加された構成となっている。
【００５１】
なお、第１筐体１の上部から第２筐体２を取り囲むようにフレーム６が張り出しており、このフレーム６に覗き見防止用カーテンなどを吊り下げることで、編集ブース２１ａ，２１ｂの様子を外から見えない様に遮ることができる。
【００５２】
そして、撮影ブース３は、第１筐体１の正面壁１１０、装置筐体の背面壁１４０、装置筐体の側面壁１５０ａ，１５０ｂ、天井壁１６０、床面Ｆで囲まれた空間である。
【００５３】
なお、この実施形態の撮影ブース３内には、利用者が撮影時に座ったり、寝そべったりする為のソファー又は寝台７が設置されている。
【００５４】
なお、この実施形態では、撮影ブース３に外部光が入射するのを制限したり、撮影ブース３の様子を外から見えない様に遮ったりするために、装置筐体の側面壁１５０ａと第１筐体１の側面１２０ａとの間隙から成る出入り口と装置筐体の側面壁１５０ｂと第１筐体１の側面１２０ｂとの間隙から成る出入り口とに、天井側から遮光性のカーテン８ａ、８ｂを吊り下げている。利用者はそれらカーテン８ａ，８ｂをめくって撮影ブース３への入退室を行う。
【００５５】
また、この実施形態では、装置筐体の上面部に、ロール状に巻かれたそれぞれ異なる色彩や模様などが施された複数種類のカーテンを収容するカーテンボックス９が備えられている。なお、このカーテンボックス９に収容されている各カーテンが、後述のカーテン制御装置１０２（図３）の制御に従って巻き戻されて上カメラ１１及び中央カメラ１３の撮影視野内に展開されたり、或いは、巻き取り収容されることにより、撮影の毎に背景として使用するカーテンを変更することができるようになっている。
【００５６】
図３は、自動写真撮影装置１００のシステム構成を示すブロック図である。
【００５７】
図３において、第１筐体１内に備えられるコンピュータ部１０１は、バス１０１ａにより相互に接続されるＣＰＵ１０１ｂ、ＲＯＭ１０１ｃ、ＲＡＭ１０１ｄ、インターフェース（Ｉ／Ｆ）１０１ｅを備えている。インターフェース１０１ｅにはハードディスク１０１ｆ、ＣＤドライブ１０１ｇとともに、後述の各種外部機器が接続されている。
【００５８】
ハードディスク１０１ｆには、ＣＰＵ１０１ｂにより解釈され、自動写真撮影装置１００が各種処理動作を実行するための撮影／編集処理プログラム１０１ｆ−１が格納されている。
【００５９】
例えば、この撮影／編集処理プログラム１０１ｆ−１は、上カメラ１１や中央カメラ１３、上カメラ用液晶モニタ１２や中央カメラ用液晶モニタ１４、カーテン制御装置１０２、照明制御装置１０３、音響制御装置１０４などを駆動して様々な撮影雰囲気の下で複数回数の写真撮影を実行する為の処理プログラムである。また、この撮影／編集処理プログラム１０１ｆ−１は、上カメラ１１や中央カメラ１３からの画像データからＪＰＥＧ等の静止画像に対して各種画像処理を実行する為の処理プログラムでもある。特に、本実施形態においては、この撮影／編集処理プログラム１０１ｆ−１は、自動写真撮影装置１００が後述の図４及び図５に示す処理を実行する為の処理プログラムでもある。
【００６０】
なお、この撮影／編集処理プログラム１０１ｆ−１は、装置提供者側でＣＤ−ＲＯＭなどに書き込まれたものをＣＤドライブ１０１ｇで読み出し、ハードディスク１０１ｆにインストールされる。この為、既存の自動写真撮影装置１００にも適用可能である。その他、前述の図４及び図５に示す本実施形態に係る処理を実行する部分の処理プログラムだけをＣＤ−ＲＯＭなどで提供して既存の自動写真撮影装置１００に適用するようにしても良い。
【００６１】
また、ハードディスク１０１ｆには、上カメラ用液晶モニタ１２や中央カメラ用液晶モニタ１４やタッチパネル式モニタ２１１ａ、２１１ｂで再生する映像データや、スピーカー１７ａ，１７ｂ，２１４ａ，２１４ｂで再生する音声データ及び音楽データが格納されているとともに、後述の落書き編集時に使用される各種の編集用画像や、レイアウトパターン等が格納されている。
【００６２】
ＲＯＭ１０１ｃは、コンピュータ部１０１を制御するための基本的なプログラムを格納している。
【００６３】
ＲＡＭ１０１ｄは、編集対象の画像や、利用者が入力した編集の内容などの作業データを一時的に記憶するものである。なお、本実施形態では、合作画像を一時記憶したり、合作画像に対する利用者の編集内容などの作業データを一時記憶する。
【００６４】
インターフェース１０１ｅには、更に、上カメラ１１、上カメラ用液晶モニタ１２、中央カメラ１３、中央カメラ用液晶モニタ１４、操作パネル１５、カーテンボックス９のカーテンの展開、収納を制御するカーテン制御装置１０２、ストロボ発光部１６ａ〜１６ｇの発光を制御する照明制御装置１０３、スピーカ１７ａ、１７ｂ、２１４ａ、２１４ｂに接続された音響制御装置１０４、コイン処理装置１０５、プリンタ１０６などの外部機器が接続されており、ＣＰＵ１０１ｂとこれら各機器との間における信号の授受が可能とされている。
【００６５】
また、この自動写真撮影装置１００には、前述の差込プラグ付き電源コード５を介して外部から商用電源を取り込んで所定の電圧に変換して各構成要素に供給する電源部１０７を備えている。
【００６６】
なお、この実施形態の自動写真撮影装置１００では、編集ブース２１ａにおいて或る利用者が静止画像の編集を行い、他方の編集ブース２１ｂにおいて他の利用者が静止画像の編集を行い、撮影ブース３０において更に他の利用者が写真撮影を行うことが可能である。
【００６７】
また、この実施形態の自動写真撮影装置１００は、撮影モードとして、「ノーマルモード」と「合作モード」とを備えている。なお、ここでいう「ノーマルモード」とは、写真撮影時に、１プレイ中で撮影した直前の撮影済みの静止画像をライブ映像の両サイドに表示せずに撮影を行う撮影モードのことである。他方、ここでいう「合作モード」とは、写真撮影時に、１プレイ中で撮影した直前の写真撮影において生成した静止画像をライブ映像の両サイドに隣接表示して撮影を行う撮影モードのことである。
【００６８】
また、この実施形態の自動写真撮影装置１００は、１プレイで８回の写真撮影を行い、「合作モード」において、写真撮影２回で１セットの合作用の表示／撮影処理を行う（後述の図７及び図８参照）。
【００６９】
また、この実施形態の自動写真撮影装置１００は、後述の撮影モードの選択とは別に、写真撮影を開始する前に、利用者によって「きれいに撮る」、「テーマで撮る」、「きれいとテーマで撮る」等の複数の撮影方法の中から所望の撮影方法を選択させるとともに、複数種類のカーテンの中から所望のカーテンを背景画として選択させるようにしている。
【００７０】
ここで、例えば、「きれいに撮る」と「きれいとテーマで撮る」の場合には、「超美白」、「美白」、「ノーマル」、「くっきり」、「超くっきり」、「小麦」等の複数の写り方の中から利用者が所望する写り方を選択できるようになっている。
【００７１】
そして、利用者により選択された写り方の種類に応じて自動写真撮影装置１００が照明制御装置１０３の制御によりストロボ発光部１６ａ〜１６ｇの発光箇所や発光タイミングや発光強度を調節する。
【００７２】
次に、前述した構成の自動写真撮影装置１００の処理動作について説明する。
【００７３】
最初に、図４に示すフローチャートに従って自動写真撮影装置１００の合作モードにおける撮影処理動作について説明する。
【００７４】
以下の説明では、利用者が撮影モードとして合作モードを選択し、撮影用カメラとして中央カメラ１３を選択した場合を例にして説明する。なお、中央カメラ選択時においては、上カメラ用液晶モニタ１２には、例えば「中央カメラで撮影します。↓」の案内を表示する。
【００７５】
図４において、自動写真撮影装置１００は、ＣＰＵ１０１ｂの制御のもと、ＣＰＵ１０１ｂがコイン処理装置１０５から所定のコイン検知信号を受信すると、例えば、「撮影を始めるよ。撮影の後は、外の編集ブースで落書きだよ」のようなプレイ説明を中央カメラ用液晶モニタ１４に表示する（ステップＳ１０１）。なお、このとき、同様の内容の音声をスピーカ１７ａ，１７ｂから再生出力しても良い。
【００７６】
次いで、例えば、「撮影モードを選択して下さい。」のような案内と、「ノーマルモード」、「合作モード」などの撮影モードの選択肢を有する撮影モード選択画面１４１（図６参照）を中央カメラ用液晶モニタ１４に表示させ（ステップＳ１０２）、利用者による撮影モードの選択を受け付ける。なお、このとき、同様の案内をスピーカ１７ａ，１７ｂを用いて音声で再生出力しても良い。
【００７７】
そして、この例では、利用者が合作モードを選択する例であるので、合作モードの選択指定を検知すると（ステップＳ１０２ＹＥＳ）、図７に示すような合作モードに係わる撮影画面を中央カメラ用液晶モニタ１４に表示する処理と所定回数（例えば、８回）の写真撮影の処理とを並行して行う処理（ステップＳ１０３）へと遷移する。
【００７８】
処理ステップＳ１０３において、１セットにおける最初の１回目の写真撮影時に、例えば、図７（ａ）に示すような画面を表示する。すなわち、中央カメラ１３で撮影したライブ映像（この例では、正面向きの女性の映像）を表示しているとともに、このライブ映像の両サイドに、例えば、「一枚目を撮影します。ポーズをとって下さい。」という案内を表示している。なお、同様の案内をスピーカ１７ａ，１７ｂを用いて音声で再生出力しても良い。
【００７９】
ここで、利用者が１回目の写真撮影でのポーズを決める。なお、この例では、女性が右向きのポーズをとろうかどうかを考え中の様子を示している。
【００８０】
そして、例えば、所定時間が経過すると、図７（ｂ）に示すようなカウントダウンの演出（例えば、「３→２→１」という数字の切り替え表示）を中央カメラ用液晶モニタ１４に表示する。なお、この例では、利用者が右向きにキスをするポーズをとっている様子を示している。
【００８１】
そして、カウントダウンが終了したタイミングで、１回目の写真撮影を実行する。なお、このとき、例えば、図７（ｃ）に示すような写真撮影を実行したことを利用者に表現する演出「カシャ！」という文字を中央カメラ用液晶モニタ１４に表示するとともに、スピーカ１７ａ，１７ｂを用いて撮影実行演出音としてシャッター音などを発声させる。なお、この例では、上方中央に表示されるライブ映像に代えて１回目の写真撮影で生成した静止画像を表示している様子を示している。
【００８２】
その後、図７（ｄ）に示すような撮影確認画面を中央カメラ用液晶モニタ１４に表示するとともに、スピーカ１７ａ，１７ｂを用いて特定の演出音（例えば、「ときめき音」など）を発声する。すなわち、この撮影確認画面は、たった今撮影した静止画像を大きく表示し、その回りに既に撮影済みの静止画像を一覧で表示する為の画面である。なお、ここでは、１回目の写真撮影時であるので、撮影済み静止画像は表示されない。また、この撮影確認画面においては、画像は上方から下方に落ちてくるように表示する。さらに、利用者に違和感を与えないようにする為、撮影済み静止画像の表示枠などは表示しない方が好ましい。
【００８３】
このようにして１セットの１回目の写真撮影が終了する。
【００８４】
次いで、自動写真撮影装置１００は、１セットの２回目の写真撮影時の処理に遷移する。すなわち、ステップＳ１０４ＮＯでステップＳ１０３の処理に移行する。
【００８５】
処理ステップＳ１０３において、１セットの２回目の写真撮影時に、例えば、図８（ａ）に示すような画面を表示する。すなわち、中央カメラ１３で撮影したライブ映像（この例では、正面向きの女性の映像）を表示しているとともに、このライブ映像の両サイドに、前述の１回目の写真撮影により生成した１枚目の静止画像を隣接配置した状態で表示する。更に、それら両サイドに表示した１枚目の静止画像の前面上方に、例えば、「二枚目を撮影します。ポーズをとって下さい。」という案内を表示する。
【００８６】
これにより、合作画像の取得を希望する利用者が前回撮影した１枚目の静止画像を見て次に撮影する２枚目のポーズを簡単に合わせることができる。すなわち、この例では、利用者の女性が、両サイドに表示されている１枚目のキスのポーズと中央に表示される自己のライブ映像を参照しながら１枚目の右向きのキスのポーズに合わせた左向きのキスのポーズ（すなわち、合作ポーズ）を簡単に決定することができる。なお、この例では、１枚目のポーズに合わせて左を向こうと考えている様子を示している。
【００８７】
そして、所定時間が経過すると、図８（ｂ）に示すようなカウントダウンの演出を中央カメラ用液晶モニタ１４に表示する。なお、この例では、１枚目の右向きのキスのポーズに合うように利用者が左向きにキスをするポーズをとっている様子を示している。
【００８８】
そして、カウントダウンが終了したタイミングで、２回目の写真撮影を実行する。なお、このとき、図８（ｃ）に示すような画面を中央カメラ用液晶モニタ１４に表示する。また、上方中央に表示されるライブ映像に代えて２回目の写真撮影で生成した静止画像を表示している様子を示している。
【００８９】
その後、図８（ｄ）に示すような撮影確認画面を中央カメラ用液晶モニタ１４に表示する。なお、この場合、２回目の写真撮影時であるので、２回目に撮影した静止画像が大きく表示されるとともに、その回りに既に撮影済みの１枚目の静止画像が表示されている。
【００９０】
このようにして１セットの２回目の写真撮影が終了する。
【００９１】
これ以降、自動写真撮影装置１００は、前述したような処理を残り３セット分実行する。すなわち、３（５，７）回目の撮影時には、１回目の撮影時と同様に、ライブ映像の両サイドが非表示状態になっており、４（６，８）回目の撮影時には、ライブ映像の両サイドに３（５，７）回目の撮影により生成した静止画像が表示される。
【００９２】
そして、全ての撮影が終了すると、自動写真撮影装置１００は、利用者に撮影が終了したことを通知するための撮影終了画面１４２を中央カメラ用液晶モニタ１４に表示する。
【００９３】
その後、自動写真撮影装置１００は、利用者に対し編集ブース２１ａ、２１ｂに行って落書きなどの編集を行うことを促す為の落書き画像転送画面１４３を中央カメラ用液晶モニタ１４に表示する。これにより、利用者は撮影ブース３を出て該当する編集ブースに行き所望の落書き編集を行う。なお、自動写真撮影装置１００は、生成した静止画像をＲＡＭ１０１ｄに記憶している。
【００９４】
これにより、ここでの合作画像の撮影処理が終了する。
【００９５】
なお、自動写真撮影装置１００は、前述の処理ステップＳ１０２の判定処理とステップＳ１０７の判定処理を合わせて、利用者による操作パネル１５を用いた撮影モードの選択操作を監視し、「ノーマルモード」を指定する選択操作が有ると（ステップＳ１０７ＹＥＳ）、ノーマルモードによる撮影処理を実行する。なお、ノーマルモード時においては、ライブ映像の両サイドは非表示状態となっている。
【００９６】
また、ノーマルモードにおいては、例えば、上カメラ用液晶モニタ１２或いは中央カメラ用液晶モニタ１４に表示されるライブ映像の左下及び右下に、利用者によって選択された２つの背景カーテンのイメージをそれぞれ表示する。すなわち、２回で１セットの撮影処理を行うので、１回目の撮影時には、左下の背景カーテンのイメージ枠を強調表示する。
【００９７】
次に、図５に示すフローチャートに従って自動写真撮影装置１００の合作画像の落書き及び印刷処理動作について説明する。なお、以下の説明では、利用者が左側の編集ブース２１ａで落書きなどの編集作業を行う場合を例にして説明する。
【００９８】
図５において、自動写真撮影装置１００は、ＣＰＵ１０１ｂの制御のもと、左側の編集ブース２１ａに備わるタッチパネル式モニタ２１１ａから利用者による落書き画面のタッチ操作を検知すると、例えば、図１０に示すような編集画面２００をタッチパネル式モニタ２１１ａに表示する（ステップＳ２０１）。これにより、所定の制限時間内で、ＲＡＭ１０１ｄに記憶されている静止画像に対する利用者の編集操作を受け付ける。
【００９９】
例えば、この自動写真撮影装置１００においては、撮影ブース３で次の利用者がコインを投入するまでは編集ブース２１ａの利用者が落書きなどの編集作業を無制限に行えるように設定し、他方、コインが投入されると、その時点から例えば制限時間「２分」を設定してカウントダウンする。
【０１００】
この場合、利用者が合作画像の取得を希望する例であるので、利用者が複数のカテゴリーアイコンからなるアイコン群の中の「合作」アイコン２０１をタッチペン２１２ａにより選択指定する（図１０の丸数字１）。すると、自動写真撮影装置１００は、合作アイコン２０１の選択指定操作を検知して（ステップＳ２０２ＹＥＳ）、例えば、図１１（ａ）に示すような合作画像選択画面２０２ａを図１０の編集画面２００のリソースウィンドウ２０２に表示する。これにより、利用者は、合作したい静止画像を２つ選択指定することができる。
【０１０１】
利用者は、図１０に示す編集画面２００において、１プレイで撮影した全ての静止画像をそれぞれ小さく表示したサムネイル群２０３の中から所望の静止画像をタッチペン２１２ａで２つ選択指定する（図１０の丸数字２及び丸数字３）。自動写真撮影装置１００は、２つの静止画像が選択指定されると（ステップＳ２０４）、例えば、図１１（ｂ）に示すような確認画面２０２ｂを図１０のリソースウィンドウ２０２に表示する。
【０１０２】
ここで、利用者により図１１（ｂ）に示す確認画面２０２ｂの「ＯＫ」ボタン２０２ｂ−１が押下されると（ステップＳ２０６ＹＥＳ）、自動写真撮影装置１００は、利用者により選択指定された２つの静止画像を隣接配置させた状態で単一の合成画像のデータを生成する。この合成画像は、ＲＡＭ１０１ｄに格納されるとともに、例えば、図１２（ａ）に示すように、画像表示部２０４において表示される。そして、合作画像に対する利用者の落書きなどの編集作業を受け付け、編集加工処理を行う（ステップＳ２０７）。
【０１０３】
なお、図１２（ｂ）に示す例では、利用者がカテゴリーアイコン群の中の「文字」アイコン２０５をタッチペン２１２ａで選択押下し｛図１２（ｂ）の丸数字５｝、次いで、リソースウィンドウ２０２に表示された図示省略の複数種のペンの中から例えば「ベタ塗りペン」をタッチペン２１２ａで選択押下し｛図１２（ｂ）の丸数字６｝、次いで、タッチペン２１２ａを用いて画像表示部２０４に表示されている合作画像の上をなぞって例えば「本人どうしでキスしてる！」という文字を落書きする｛図１２（ｂ）の丸数字７｝様子を示している。
【０１０４】
また、図１２（ｂ）に示す例では、利用者がカテゴリーアイコン群の中の「スタンプ」アイコン２０６をタッチペン２１２ａで選択押下し｛図１２（ｂ）の丸数字８｝、次いで、リソースウィンドウ２０２に表示された複数種のスタンプの中から例えば「ノーマルタイプのハートマーク」をタッチペン２１２ａで選択押下し、次いで、タッチペン２１２ａを用いて画像表示部２０４に表示されている合作画像の上方中央付近をタッチする様子を示している。
【０１０５】
このように、本実施形態によると、２枚の静止画像を隣接配置した合作画像を一つの画像表示部２０４に表示させて利用者の落書きなどの編集操作を受け付けるように構成しているため、合作画像の繋ぎ目を跨った落書きやスタンプ付け等の編集作業を簡単に行うことができる。
【０１０６】
なお、ステップＳ２０７において上記のような編集操作が受け付けられた場合には、その編集操作に対応する編集が上記合作画像に施された合作編集画像が生成され、ＲＡＭ１０１に記録された合作画像のデータが合作編集画像のデータに書き替えられる。
【０１０７】
そして、撮影ブース３で次の利用者が撮影を開始したことにより時間切れとなった場合、或いは、利用者自ら「おわり」ボタン２０７押下して落書き作業が終了した場合（ステップＳ２０８ＹＥＳ）、自動写真撮影装置１００は、例えば、利用者に対して写真印刷中及び写真排出口を案内する演出を表示した印刷実行画面２２０（図１３参照）を表示するとともに、プリンタ１０６を用いて合作画像をシール紙上に印刷して写真シールＰ（図１４参照）として写真排出口４に出力する（ステップＳ２０９）。なお、本実施形態の写真シールは、写真ごとに切れ目が入っていないシール紙を利用している。
【０１０８】
また、この例の写真シールＰは、利用者が３つの合作画像を撮影して編集した場合であり、例えば、利用者どうしがキスしている合作編集画像と、利用者が利用者によって首を絞められている合作編集画像と、利用者の胴が不自然に長い合作編集画像と、合作でない２つの利用者の静止画像とが区画されてレイアウトされた様子を示している。
【０１０９】
このように、本実施形態によると、利用者は、２枚の静止画像を隣接配置した合作画像を印刷した写真シールを簡単に手に入れることができる。具体的には、利用者は、本人どうしが絡み合ったような不思議な写真や、体の一部が不自然に長いような不思議な写真を手に入れることができる。
【０１１０】
これにより、ここでの合作画像の落書き及び印刷処理が終了する。
【０１１１】
なお、自動写真撮影装置１００は、前述の処理ステップＳ２０２の判定処理とステップＳ２１０の判定処理を合わせて、利用者によるタッチペン２１２ａ及びタッチペン２１３ａを用いたタッチ操作を監視し、「合作」アイコン２０１以外の他の機能を指定するタッチ操作が有ると（ステップＳ２１０ＹＥＳ）、そのタッチ操作に応じた機能の処理を実行する（ステップＳ２１１）。
【０１１２】
また、利用者が、図１１に示すリソースウィンドウ２０２に表示されている「画像登録」タブ２０２−２をタッチ選択することで、本実施形態の自動写真撮影装置１００は、その合作画像を閲覧用のポーズ集としてハードディスク１０１ｆに登録する。また、自動写真撮影装置１００は、利用者による落書きなどの編集作業の途中又は完了後に「画像登録」タブ２０２−２が操作されたときは、画像表示部２０４に表示されている編集が施された合作編集画像を登録する。なお、自動写真撮影装置１００は、登録画像が予め設定されている上限数を超える場合には、古い画像から上書きする。
【０１１３】
これにより、利用者は、合作画像を簡単にポーズ集に登録することができるばかりでなく、落書きなどの編集を施した合作編集画像の登録も行える。
【０１１４】
また、利用者が、前述のタブ群の中の「画像閲覧」タブ２０２−３をタッチ選択することで、本実施形態の自動写真撮影装置１００が閲覧用のポーズ集に登録済みの合作画像（又は合作編集画像）を画像表示部２０４に表示させて利用者に対し閲覧可能にしている。
【０１１５】
これにより、利用者は、落書きなどの編集中ならいつでもポーズ集に登録した合作画像を閲覧することができる。
（変形例）
【０１１６】
以上、例示的な実施形態に基づいて本発明を説明したが、本発明は上記実施形態により限定されるものではなく、特許請求の範囲の記載内において種々の変更、改変を行うことが可能である。
【０１１７】
前述の実施形態では、１プレイで４セットの計８回の写真撮影を行い、また、合作画像に対する利用者の落書きなどの編集操作を受け付けて合作画像の編集処理を行い、合作画像を隣接配置させて印刷する形態の自動写真撮影装置を例として説明したが、これ以外にも、前述の実施形態で述べたような写真撮影時にライブ映像の周囲（両サイドを含む）に撮影済みの静止画像を表示する機能を有していることを前提にすれば、以下に示すような形態であっても良い。
【０１１８】
例えば、１）合作画像を作製できる許容範囲として１プレイで最低でも２回の写真撮影が行える自動写真撮影装置であれば良く、１プレイで２回の写真撮影しか行わないような自動写真撮影装置であっても良い。また、２）合作画像に対する利用者の落書きなどの編集操作を受け付けない自動写真撮影装置であっても良い。また、３）合作画像を隣接配置させずに印刷する自動写真撮影装置であっても良い。また、４）ノーマルモードを備えず、常に合作モードの撮影処理を行う自動写真撮影装置であっても良い。また、５）上記１）〜４）のいずれかを組み合わせた自動写真撮影装置であっても良い。
【０１１９】
また、前述の実施形態では、好ましい形態として、ライブ映像の両サイドに撮影済みの静止画像を表示する場合を示したが、本発明はこれに限定されず、左右のいずれか一方にのみ表示するようにしても良く、また、ライブ映像の周囲であれば左右以外でも良い。例えば、ライブ映像を上下に挟むように撮影済みの静止画像を表示させるようにしても良く、さらに、上下のいずれか一方のみに表示するようにしても良い。
【０１２０】
また、前述の実施形態では、合作モードの写真撮影時に、予め設定されている順番（前述の例では、１セットの１回目）の撮影済みの静止画像をライブ映像の両サイドに自動的に表示する形態について示したが、これに限らず、例えば、利用者が写真撮影時に、ライブ映像の周囲に表示する撮影済みの静止画像を自由に選択できるようにしても良い。
【０１２１】
また、前述の実施形態では、ライブ映像の両サイドに撮影済みの静止画像の全体が確認できるように表示する形態について示したが、これに限らず、例えば、両サイドの撮影済み画像が液晶モニタからはみ出すように表示しても良い。すなわち、撮影済み画像のライブ映像との繋ぎ目付近が確認できる部分のみを表示しても良い。
【０１２２】
また、前述の実施形態では、編集画面２００上で利用者が合作したい画像を２つ選ぶとそれら２つの静止画像が隣接配置された合作画像として画像表示部２０４に表示され、最終的にそれら２つの静止画像が隣接配置された合作画像として印刷出力される形態について示したが、これ以外にも、例えば、編集画面２００上で利用者が合作したい静止画像を２つ選べ、更に、それら２つの静止画像の重ね合わせる範囲を利用者が選べるように設定しても良い。
【０１２３】
これにより、例えば、２つの静止画像に表現されている利用者の手と手を繋ぎ合せようとする場合に、隣接配置だけでは繋ぎ面が不自然になってしまうものの、１／４や１／３というように２つの静止画像を上下左右に重ねたり、移動させたりすることで自然に手が繋がれているような合作画像を作製することができる。
【０１２４】
また、前述の実施形態では、撮影した画像（静止画像や合作画像、合作編集画像）を写真シールなどの印刷物という形態で利用者に販売或いは提供する自動写真撮影装置１００に本発明を適用した場合について説明したが、これ以外にも、画像をＵＳＢケーブルなどの有線通信或いは赤外線通信などの無線通信により外部受信端末（例えば、利用者の携帯電話機や、装置設置箇所付近に設置されている通信端末等）に送信する通信装置を備えた自動写真撮影装置に適用しても良い。これにより、利用者は自己の携帯電話機に画像を取り込むことができ、例えば、携帯電話機の壁紙に設定したり、友人などの第３者の携帯電話機にデータ通信により自己の合作画像や合作編集画像を提供することができる。
【０１２５】
また、前述の実施形態では、撮影ブース３にソファーや寝台７を設ける場合の形態について示したが、これに限らず、自動写真撮影装置１００が設置されるスペースが狭い場合には、ソファー７などを設置しない形態を採っても良い。
【０１２６】
また、前述の実施形態では、各編集ブース２１ａ，２１ｂにおいて、利用者が立った姿勢で落書きなどの編集操作を行う場合の形態について示したが、これに限らず、自動写真撮影装置１００が設置されるスペースに応じて、利用者が座った姿勢で落書きなどの編集操作を行うことができるように、腰掛け用のソファーやパイプ椅子などを設置するようにしても良い。こうすれば、撮影ブース３を利用する利用者が現れず、落書き無制限状態となっている利用者の負担を軽減することができる。
【０１２７】
また、前述の実施形態では、好ましい例として料金先払い形式を採用しているが、これに限らず、利用者が写真撮影を行った上で、自分の気に入った静止画像のプリントアウトをしたい場合に料金を請求するような料金後払い形式を採用しても良い。なお、この場合には、前述の図４のフローにおいて、コイン検知をトリガにするのでは無く、例えば、操作パネル１５の決定ボタンの押下操作で処理ステップＳ１０１の処理へと移行するように設定する。
【０１２８】
また、図５のフローにおいて、処理ステップＳ２０８の後に、利用者によるコイン投入が行われたことを検知した場合に、処理ステップＳ２０９に移行して画像の印刷を行うように設定しても良い。なお、この場合、撮影ブース３のコイン投入口１８に代えて、編集スペース２１に画像を印刷するための料金を投入するためのコイン投入口を設置する。
【０１２９】
また、前述の実施形態では、図４に示す処理ステップＳ１０３において、写真撮影を実行した際、中央カメラ用液晶モニタ１４の中央に表示されているライブ映像に代えて写真撮影により生成した静止画像を表示する場合について示したが、これに限らず、そのままライブ映像を表示し続けても良い。
【０１３０】
また、前述の実施形態では、自動写真撮影装置１００の第１筐体１と第２筐体２とは物理的に分離した個別の筐体である場合の形態を示したが、これに限らず、第１筐体と第２筐体とに分けずに、単一の筐体で構成しても良い。
【０１３１】
また、前述の実施形態では、合作画像を図１２に示すように編集画面２００の一方の画像表示部２０４に表示する形態について示したが、これに限らず、例えば、表示上では合作せずに、左右の画像表示部にそれぞれ合作する静止画像を１枚づつ分けて表示させ、左右で別々に編集作業を行わせるようにしても良い。
【０１３２】
また、例えば、同一の合作画像を、編集画面２００の左右両方の画像表示部にそれぞれ表示させ、左右の利用者によって同一の合作画像に対する落書きなどの編集を行わせるようにしても良い。すなわち、左右の画像表示部には、左右の利用者それぞれの落書き画像が反映された合作画像が表示されるようにする。これにより、２つの画面を用いて、一つの合作画像に二人の落書きを反映させることができる。すなわち、二人で落書きをして力を合わせて一つの合作画像を作製することができる。
【０１３３】
また、前述の実施形態では、ライブ映像の両サイドに表示する撮影済み画像としては、当該写真撮影時の利用者の静止画像である場合について示したが、これに限定されず、例えば、予め用意されているサンプル画像の中から利用者が所望するサンプル画像をライブ映像の両サイドに表示するようにしても良い。例えば、肖像権を侵害しない範囲（本人の許可を得た場合）での著名人などのサンプル画像や、著作権を侵害しない範囲（本人の許可を得た場合）でのアニメキャラクターなどのサンプル画像を予め用意する。
【０１３４】
なお、それらサンプル画像を表示する自動写真撮影装置として、利用者の背景と同じ背景となるように調整したサンプル画像を生成し、利用者が落書きやスタンプといった操作を行わずに自動的にサンプル画像と利用者の静止画像とを隣接配置した合作画像を生成して印刷する形態を採用すると、利用者の使い勝手を向上させることができる。すなわち、利用者がスタンプ等の余計な操作を行わなくとも、利用者の所望するサンプル画像と絡んだ自分の写真（例えば、好きなタレントさんと握手している自分とか、好きなアニメキャラクターとキスしている自分等の写真）を手に入れることができる。
【０１３５】
なお、前述のサンプル画像と利用者の静止画像との合作画像を実際に印刷するに際しては、合作画像が印刷された写真シールを見た第３者が誤解を招くのを未然に防ぐ為に、例えば、「警告：この写真は、特別な自動写真撮影装置で撮影されたものです。」のような情報を合作画像に挿入する。
【０１３６】
また、前述の実施形態では、ライブ映像と撮影済み静止画像の両方を表示する中央カメラ用液晶モニタや上カメラ用液晶モニタを備える形態について説明したが、これに限らず、例えば、ライブ映像を表示する専用のモニタと撮影済み画像を表示する専用のモニタとが別々に備わる形態であっても良い。
【０１３７】
また、前述の実施形態では、利用者を撮影する撮影カメラとして、上カメラ１１と中央カメラの２つを備える形態について示したが、本発明はこれに限定されず、１つのカメラのみを備える形態にしても良い。これにより、製品コストを低く抑えることができる。
【０１３８】
また、前述の実施形態では、撮影カメラ（上カメラ１１や中央カメラ１３）の付近にライブ映像と撮影済み静止画像を表示するモニタ（上カメラ用液晶モニタ１２や中央カメラ用液晶モニタ１４）を設置する形態を示したが、これ以外にも、例えば、撮影カメラの画角内に位置する利用者から見える範囲で撮影カメラとは離れた箇所にモニタを設置するようにしても良い。
【０１３９】
また、前述の実施形態に示した編集画面２００において、予め設定している複数種類の合作画像専用の合作フレームの中から利用者が所望する合作フレームを選択させるようにしても良い。
【０１４０】
また、前述の実施形態に係わる自動写真撮影装置１００では、印刷出力する写真シールＰ（図１４参照）として、画像ごとに切れ目が入っていない形態について示したが、これ以外にも、例えば、画像ごとに切れ目が入っているシール紙を用意し、その切れ目入りシール紙に各画像を印刷するようにしても良い。
【０１４１】
なお、この切れ目入りシール紙を使用する場合、合作画像用の２枚の静止画像で一つの切れ目が入っているシール紙を用意し、合作画像を印刷するようにしても良いし、他方、１枚ごとに切れ目が入っているシール紙を用意し、合作画像でも半分づつに切れた写真シールとして印刷するよにしても良い。これにより、合作したけど２つの写真を個別に使いたい場合などには、ハサミやカッター等を用意しなくても簡単に切り離せる。
【０１４２】
また、前述の実施形態の自動写真撮影装置１００では、上カメラ１１及び中央カメラ１３により撮影した利用者のＪＰＥＧ等の静止画像をコンピュータ部１０１で撮影／編集処理プログラム１０１ｆ−１に基づき各種の画像処理を行う形態について示したが、これ以外にも、例えば、上カメラ１１及び中央カメラ１３がＪＰＥＧ等の静止画像を生成する前段階の画像処理部を備えていなくても良く、この場合、コンピュータ部１０１の撮影／編集処理プログラム１０１ｆ−１が各カメラから取得した撮影画像データからＪＰＥＧ等の静止画像を生成する処理を自動写真撮影装置１００に実行させるプログラムとなっている。
【０１４３】
また、前述の実施形態の自動写真撮影装置１００では、背景画としてカーテンを用意した形態について示したが、これに限らず、例えば、クロマキー処理により背景画を生成する形態にしても良く、また、カーテン処理とクロマキー処理とを組み合わせた形態にしても良い。
（第２の実施形態）
【０１４４】
なお、前述の実施形態では、ライブ映像とそのライブ映像を挟むように両サイドに撮影済み静止画像を表示する形態を示したが、本発明はこれに限定されず、例えば、ライブ映像を表示せずに、替わりに、反射光を利用者側に返すとともに透過光をカメラに導くハーフミラーを備え、そのハーフミラーの周辺に撮影済みの静止画像を表示する液晶モニタを備えるようにして対応しても良い。
【０１４５】
これにより、利用者は、反射光からハーフミラーに映った像を把握してリアルタイムで自分の表情や姿勢（ポーズ）をチェックすることができるので、その像をもとに両サイドに表示される既に撮影済みの静止画像と比較しながら合作画像の撮影ポーズをとることができる。
【０１４６】
なお、好ましくは、ハーフミラーの両サイドにそれぞれ液晶モニタを設けるように構成する。
【０１４７】
また、この場合、好ましくは、カメラからハーフミラーまでの距離と、ハーフミラーから利用者までの距離とが同じになるように、カメラとハーフミラーと利用者がポーズをとる椅子やソファーを配置する。
【０１４８】
さらに、好ましくは、カメラのレンズ付近に、利用者の視線を誘導するための発光素子を備え、発光素子の発光をハーフミラー越しに利用者に照射するようにする。
【図面の簡単な説明】
【０１４９】
【図１】本発明を適用した自動写真撮影装置の外観構成を示す説明図。
【図２】撮影ブース内に形成される第１筐体の外観正面の構成を示す説明図。
【図３】自動写真撮影装置のシステム構成を示すブロック図。
【図４】自動写真撮影装置の合作モードにおける撮影処理手順を示すフローチャート。
【図５】自動写真撮影装置の合作画像の落書き及び印刷処理手順を示すフローチャート。
【図６】撮影モード選択画面の構成を示す説明図。
【図７】１回目の写真撮影時に液晶モニタに表示される撮影画面の構成を示す説明図。
【図８】２回目の写真撮影時に液晶モニタに表示される撮影画面の構成を示す説明図。
【図９】撮影終了画面の構成及び落書き編集ブース案内画面の構成を示す説明図。
【図１０】編集画面の構成を示す説明図。
【図１１】リソースウィンドウに表示される合作機能画面の構成を示す説明図。
【図１２】合作画像の表示例及び合作画像の編集例を示す説明図。
【図１３】印刷実行画面の構成を示す説明図。
【図１４】印刷された写真シールの一構成例を示す説明図。
【符号の説明】
【０１５０】
１００・・・自動写真撮影装置、１・・・第１筐体、２・・・第２筐体、３・・・撮影ブース、４・・・写真排出口、５・・・差込プラグ付き電源コード、６・・・フレーム、７・・・ソファー（寝台）、８ａ，８ｂ・・・カーテン、９・・・カーテンボックス、１１０・・・正面壁、１１・・・上カメラ、１２・・・上カメラ用液晶モニタ、１３・・・中央カメラ、１４・・・中央カメラ用液晶モニタ、１５・・・操作パネル、１６ａ〜１６ｇ・・・ストロボ発光部、１７ａ，１７ｂ・・・スピーカ、１８・・・コイン投入口、１９・・・荷物置き場、２１ａ，２１ｂ・・・編集ブース、２１０ａ，２１０ｂ・・・側面、２１１ａ，２１１ｂ・・・タッチパネル式モニタ、２１２ａ，２１３ａ，２１２ｂ，２１３ｂ・・・タッチペン、２１４ａ，２１４ｂ・・・スピーカ、１２０ａ，１２０ｂ・・・第１筐体の側面壁、１３０・・・第１筐体の底面壁、１４０・・・装置の背面壁、１５０ａ，１５０ｂ・・・装置の側面壁、１６０・・・装置の内部天井壁、Ｆ・・・床面、１０１・・・コンピュータ部、１０１ａ・・・バス、１０１ｂ・・・ＣＰＵ、１０１ｃ・・・ＲＯＭ、１０１ｄ・・・ＲＡＭ、１０１ｅ・・・Ｉ／Ｆ、１０１ｆ・・・ハードディスク、１０１ｆ−１・・・撮影／編集処理プログラム、１０１ｇ・・・ＣＤドライブ、１０２・・・カーテン制御装置、１０３・・・照明制御装置、１０４・・・音響制御装置、１０５・・・コイン処理装置、１０６・・・プリンタ、１０７・・・電源部、１４１・・・撮影モード選択画面、１４２・・・撮影終了画面、１４３・・・落書き画像転送画面、２００・・・編集画面、２０１・・・合作アイコン、２０２・・・リソースウィンドウ、２０３・・・サムネイル群、２０４・・・画像表示部、２０５・・・文字アイコン、２０６・・・スタンプアイコン、２０７・・・おわりボタン、２２０・・・印刷実行画面、Ｐ・・・写真シール
【図１】
2007221409.tif 000003
【図２】
2007221409.tif 000004
【図３】
2007221409.tif 000005
【図４】
2007221409.tif 000006
【図５】
2007221409.tif 000007
【図６】
2007221409.tif 000008
【図７】
2007221409.tif 000009
【図８】
2007221409.tif 000010
【図９】
2007221409.tif 000011
【図１０】
2007221409.tif 000012
【図１１】
2007221409.tif 000013
【図１２】
2007221409.tif 000014
【図１３】
2007221409.tif 000015
【図１４】
2007221409.tif 000016